(57)【要約】【課題】異種金属間の接合強度が改善された二次電池及び二次電池モジュールを提供する。【解決手段】二次電池２０は、正極、負極及びそれらの間のセパレータ６３を含む電極組立体６０と、電極組立体６０を収容するケース５０と、ケース５０をシーリングするためのキャップ組立体４０と、少なくとも１つの端子ユニットと、を含み、少なくとも１つの端子ユニットは、電極組立体６０のいずれか１つの電極に電気的に連結され第１金属からなる電極リベットと、第１金属と異なる第２金属からなるリベット・ターミナル２１と、電極リベットとリベット・ターミナル２１との間に介在されたクラッドメタル１０とを、含む。該二次電池２０及び該二次電池モジュール９５では、電極リベットとリベット・ターミナル２１との結合、またはリベット・ターミナル２１とバスバー３０との結合が、同種金属間の溶接で行われるために、強固な接合強度を確保することができる。【選択図】図４Ａ
2011210725.tif 000002
【特許請求の範囲】
【請求項１】
正極、負極及びそれらの間のセパレータを含む電極組立体と、
前記電極組立体を収容するためのケースと、
前記ケースをシーリングするためのキャップ組立体と、
少なくとも１つの端子ユニットと、を含み、
前記少なくとも１つの端子ユニットは、
前記電極組立体のいずれか１つの電極に電気的に連結され、第１金属からなる電極リベットと、
前記第１金属と異なる第２金属からなるリベット・ターミナルと、
前記電極リベットとリベット・ターミナルとの間に介在されたクラッドメタルと、を含むことを特徴とする、二次電池。
【請求項２】
前記クラッドメタルは、内層を取り囲む外層を含み、
前記外層は、第２金属からなり、前記内層は、第１金属からなることを特徴とする請求項１に記載の二次電池。
【請求項３】
前記外層は、前記リベット・ターミナルに溶接されることを特徴とする請求項２に記載の二次電池。
【請求項４】
前記電極リベットは、前記クラッドメタルと結合されることを特徴とする請求項２に記載の二次電池。
【請求項５】
前記電極リベットは、前記クラッドメタルの内層に溶接されることを特徴とする請求項４に記載の二次電池。
【請求項６】
前記二次電池は、他の端子ユニットをさらに含み、
前記他の端子ユニットは、他のリベット・ターミナルと、他の電極リベットとを含み、
前記他のリベット・ターミナルと他の電極リベットは、同種金属からなることを特徴とする請求項１に記載の二次電池。
【請求項７】
前記他の端子ユニットは、前記端子ユニットと逆極性を有することを特徴とする請求項６に記載の二次電池。
【請求項８】
複数の二次電池を含む二次電池モジュールであって、
前記二次電池のうち少なくとも一つは、
正極、負極及びそれらの間のセパレータを含む電極組立体と、
前記電極組立体を収容するためのケースと、
前記ケースをシーリングするためのキャップ組立体と、
少なくとも１つの端子ユニットと、を含み、
前記少なくとも１つの端子ユニットは、
前記電極組立体のいずれか１つの電極に電気的に連結され、第１金属からなる電極リベットと、
前記第１金属と異なる第２金属からなるリベット・ターミナルと、
前記電極リベットとリベット・ターミナルとの間に介在されたクラッドメタルと、を含むことを特徴とする、二次電池モジュール。
【請求項９】
前記リベット・ターミナルと隣接した二次電池を連結するバスバーをさらに含み、
前記バスバーは、第２金属からなることを特徴とする請求項８に記載の二次電池モジュール。
【請求項１０】
複数の二次電池を含む二次電池モジュールであって、
前記二次電池のうち少なくとも一つは、
正極、負極及びそれらの間に介在されるセパレータを含む電極組立体と、
前記電極組立体を収容するためのケースと、
前記ケースをシーリングするキャップ組立体と、
少なくとも１つの端子ユニットと、を含み、
前記少なくとも１つの端子ユニットは、
前記電極組立体のいずれか１つの電極に電気的に連結され、第１金属からなる電極リベットと、
前記第１金属からなるリベット・ターミナルと、
前記端子ユニットと隣接する二次電池を連結するものであり、前記第１金属とは異なる第２金属からなるバスバーと、
前記バスバーとリベット・ターミナルとの間に介在されたクラッドメタルと、を含むことを特徴とする、二次電池モジュール。
【請求項１１】
前記クラッドメタルは、前記バスバーの外側端部を取り囲むことを特徴とする請求項１０に記載の二次電池モジュール。
【請求項１２】
前記クラッドメタルは、内層を取り囲む外層を含み、
前記外層は、第１金属からなり、前記内層は、第２金属からなることを特徴とする請求項１０に記載の二次電池モジュール。
【請求項１３】
前記外層は、前記リベット・ターミナルに溶接されることを特徴とする請求項１２に記載の二次電池モジュール。
【請求項１４】
前記内層は、前記バスバーに溶接されることを特徴とする請求項１２に記載の二次電池モジュール。
【請求項１５】
前記二次電池は、他の端子ユニットを含み、
前記他の端子ユニットは、他のリベット・ターミナル、他の電極リベット及び他のバスバーを含み、
前記他のリベット・ターミナル、他の電極リベット及び他のバスバーは、同種の金属からなることを特徴とする請求項１０に記載の二次電池モジュール。
【請求項１６】
前記他の端子ユニットは、前記端子ユニットと逆極性を有することを特徴とする請求項１５に記載の二次電池モジュール。
【請求項１７】
前記電極リベットは、リベット・ターミナルに結合されることを特徴とする請求項１０に記載の二次電池モジュール。
【発明の詳細な説明】
【技術分野】
【０００１】
本発明は、二次電池及び多数の二次電池を含む二次電池モジュールに関する。
【背景技術】
【０００２】
二次電池は、充電使用が可能な電池をいい、携帯電話、ノート型パソコン、カムコーダなどの携帯型電子機器分野で広く使われている。
【０００３】
このような二次電池は、正極、負極及びセパレータがゼリーロール（jelly roll）状に巻き取られた電極組立体を、ケースの開放部を介して内部に装入させ、キャップ組立体でその開放部を覆った構造を有している。そして、前記電極組立体の端部には、集電板が設けられており、この集電板は、さらにキャップ組立体に設けられた端子ユニットと電気的に連結される。従って、前記端子ユニットに外部端子を連結すれば、前記電極組立体で発生した電流が、前記集電板と前記端子ユニットとを経由して、外部端子に供給される。
【０００４】
ここで、前記端子ユニットは、集電板と連結された正極リベット並びに負極リベットとバスバーとを連結するために、前記正極リベット及び負極リベットに結合させるリベット・ターミナルを具備しており、この正極リベットまたは負極リベットとリベット・ターミナルとの結合、及びリベット・ターミナルとバスバーとの結合は、レーザ溶接によってなされる。
【発明の概要】
【発明が解決しようとする課題】
【０００５】
しかし、正極リベットと負極リベットは、一般的に互いに異なる金属材質によって設けられるために、二つのうちいずれか１つの金属の材質によってリベット・ターミナルを設ければ、互いに異なる異種金属間の溶接を行うようになる側は、溶接性が落ちて接合強度が相対的に弱くなる。これを解決するために、リベット・ターミナルも、正極リベット並びに負極リベットそれぞれの材質と同じ金属で設けて溶接する場合、各リベットと当該リベット・ターミナルとの溶接性は改善されうるが、このリベット・ターミナル間を連結するバスバーを溶接するときには、同様に異種金属間の溶接性低下の問題が、少なくとも一方では新たに生じてしまう。従って、このような端子ユニットの異種金属間溶接時に発生する溶接性低下の問題を解決できる方案が求められている。
【０００６】
そこで、本発明は、上記問題に鑑みてなされたものであり、本発明の目的とするところは、異種金属間溶接時に発生する溶接性低下の問題を解決することが可能な、新規かつ改良された二次電池及び二次電池モジュールを提供することにある。
【課題を解決するための手段】
【０００７】
上記課題を解決するために、本発明のある観点によれば、正極、負極及びそれらの間のセパレータを含む電極組立体と、前記電極組立体を収容するケースと、前記ケースをシーリングするためのキャップ組立体と、少なくとも１つの端子ユニットと、を含み、前記少なくとも１つの端子ユニットは、前記電極組立体のいずれか１つの電極に電気的に連結され、第１金属からなる電極リベットと、第１金属と異なる第２金属からなるリベット・ターミナルと、前記電極リベットとリベット・ターミナルとの間に介在されたクラッドメタルと、を含む、二次電池が提供される。
【０００８】
例えば、前記クラッドメタルは、内層を取り囲む外層を含み、前記外層は、第２金属からなり、前記内層は、第１金属からなるものであってもよい。
【０００９】
例えば、前記外層は、前記リベット・ターミナルに溶接されるものであってもよい。
【００１０】
例えば、前記電極リベットは、前記クラッドメタルと結合されるものであってもよい。
【００１１】
例えば、前記電極リベットは、前記クラッドメタルの内層に溶接されるものであってもよい。
【００１２】
例えば、前記二次電池は、他の端子ユニットをさらに含み、前記端子ユニットは、他のリベット・ターミナルと他の電極リベットを含み、前記他のリベット・ターミナルと他の電極リベットは、同種金属からなるものであってもよい。
【００１３】
例えば、前記他の端子ユニットは、前記端子ユニットと逆極性を有するものであってもよい。
【００１４】
また、上記課題を解決するために、本発明の別の観点によれば、複数の二次電池を含む二次電池モジュールであって、前記二次電池のうち少なくとも一つは、正極、負極及びそれらの間のセパレータを含む電極組立体と、前記電極組立体を収容するケースと、前記ケースをシーリングするためのキャップ組立体と、少なくとも１つの端子ユニットと、を含み、前記少なくとも１つの端子ユニットは、前記電極組立体のいずれか１つの電極に電気的に連結され、第１金属からなる電極リベットと、第１金属と異なる第２金属からなるリベット・ターミナルと、前記電極リベットとリベット・ターミナルとの間に介在されたクラッドメタルと、を含む二次電池モジュールが提供される。
【００１５】
例えば、前記二次電池モジュールは、前記リベット・ターミナルと隣接した二次電池を連結するバスバーをさらに含むことができ、前記バスバーは、第２金属からなるものであってもよい。
【００１６】
また、上記課題を解決するために、本発明の別の観点によれば、複数の二次電池を含む二次電池モジュールであって、前記二次電池のうち少なくとも一つは、正極、負極及びそれらの間に介在されるセパレータを含む電極組立体と、前記電極組立体を収容するケースと、前記ケースをシーリングするキャップ組立体と、少なくとも１つの端子ユニットと、を含み、前記少なくとも１つの端子ユニットは、前記電極組立体のいずれか１つの電極に電気に連結され、第１金属からなる電極リベットと、第１金属からなるリベット・ターミナルと、前記端子ユニットと隣接する二次電池を連結するものであり、第１金属とは異なる第２金属からなるバスバーと、前記バスバーとリベット・ターミナルとの間に介在されたクラッドメタルと、を含む二次電池モジュールが提供される。
【００１７】
例えば、前記クラッドメタルは、バスバーの外側端部を取り囲むように形成されるものであってもよい。
【００１８】
例えば、前記クラッドメタルは、内層を取り囲む外層を含み、前記外層は、第１金属からなり、前記内層は、第２金属からなるものであってもよい。
【００１９】
例えば、前記外層は、前記リベット・ターミナルに溶接されるものであってもよい。
【００２０】
例えば、前記内層は、前記バスバーに溶接されるものであってもよい。
【００２１】
例えば、前記二次電池は、他の端子ユニットを含み、前記他の端子ユニットは、他のリベット・ターミナル、他の電極リベット、及び他のバスバーを含み、前記他のリベット・ターミナル、他の電極リベット、及び他のバスバーは、いずれも同種の金属からなるものであってもよい。
【００２２】
例えば、前記他の端子ユニットは、前記端子ユニットと逆極性を有するものであってもよい。
【００２３】
例えば、前記電極リベットは、リベット・ターミナルに結合されるものであってもよい。
【発明の効果】
【００２４】
以上説明したように本発明によれば、電極リベットとリベット・ターミナルとの結合、またはリベット・ターミナルとバスバーとの結合が同種金属間の溶接によってなされるために、強固な接合強度を確保することができる。
【図面の簡単な説明】
【００２５】
【図１】本発明の一実施形態による二次電池モジュールの斜視図である。
【図２】図１のＩＩ−ＩＩ線に沿って切り取った断面図である。
【図３】図１に図示された電極組立体の構造を図示した図面である。
【図４Ａ】図２に図示された二次電池で、負極リベットとリベット・ターミナルとの結合過程を図示した図面である。
【図４Ｂ】図２に図示された二次電池で、負極リベットとリベット・ターミナルとの結合過程を図示した図面である。
【図４Ｃ】図２に図示された二次電池で、負極リベットとリベット・ターミナルとの結合過程を図示した図面である。
【図５】他の実施形態による端子ユニットの構造を図示した図面である。
【図６】本発明のさらに他の実施形態による二次電池モジュールの斜視図である。
【図７】図６のＶＩＩ−ＶＩＩ線に沿って切り取った断面図である。
【発明を実施するための形態】
【００２６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２７】
以下、添付図面を参照しつつ、本発明の望ましい実施形態について、詳細に説明する。図１は、本発明の一実施形態による二次電池モジュール９５の斜視図である。図２は、図１のＩＩ−ＩＩ線に沿って切り取った断面図である。
【００２８】
図１を参照すれば、前記二次電池モジュール９５は、多数の二次電池２０と、前記二次電池２０を相互電気的に連結させるためのバスバー３０と、を含む。
【００２９】
図２を参照すれば、二次電池２０は、正極、負極及びセパレータがゼリーロール状に巻き取られた電極組立体６０と、前記電極組立体６０の両端部に結合された集電板７０と、前記電極組立体６０と電極集電板７０とを収容するためのケース５０と、ケース５０の開放部に結合されたキャップ組立体４０と、を具備している。従って、ケース５０の開放部を介して、集電板７０が付着された電極組立体６０を装入して、前記キャップ組立体４０を覆えば、電極組立体６０を安全に収容した二次電池２０が準備されうる。
【００３０】
前記キャップ組立体４０は、シーリング部材８０を含むことができる。前記シーリング部材８０は、ケース５０内に電解液を注入した後、注入口を密封するためのものである。前記キャップ組立体４０は、安全ベント９０を含むことができる。前記安全ベント９０は、ケース５０内の圧力が高すぎる場合に破損され、ガスを排出させるためのものである。
【００３１】
図３は、図２に図示された電極組立体６０の構造を図示した図面である。図３を参照すれば、前記電極組立体６０は、正極６１、セパレータ６３及び負極６２が交互に積層されてゼリーロール状に巻き取られたものであり、正極６１には、正極活物質６１ａが塗布されており、負極６２には、負極活物質６２ａが塗布されている。そして、正極６１と負極６２との端部には、活物質が塗布されていない無地部６１ｂ，６２ｂがそれぞれ設けられているが、正極無地部６１ｂは、電極組立体６０の一側端部に、負極無地部６２ｂは、他側端部に位置するように互い違いに配列されて巻き取られている。従って、図２を例にすると、左側には、正極無地部６１ｂが、右側には、負極無地部６２ｂが配されるのである。従って、図２の左側に付着された集電板７０は、電極組立体６０の正極６１に電気的に連結され、右側に付着された集電板７０は、負極６２に電気的に連結したことになる。そして、各集電板７０はまた、それぞれ端子ユニットの正極リベット１１と負極リベット１２とに連結される。
【００３２】
前記端子ユニットとしては、正極リベット１１並びに負極リベット１２、それらリベット１１，１２にそれぞれ溶接されるリベット・ターミナル２１，２２、及びリベット・ターミナル２１，２２に溶接され、隣接した二次電池２０と、直列または並列の連結構造をなすバスバー３０が備わっている。
【００３３】
本実施形態では、正極リベット１１並びにリベット・ターミナル２１，２２及びバスバー３０が、同種金属であるアルミニウム材質であり、負極リベット１２は、それとは異なる銅材質である場合を例示している。この場合は、正極リベット１１とリベット・ターミナル２１との溶接や、リベット・ターミナル２１，２２とバスバー３０との溶接は、同種金属間の溶接になる。従って、この同種金属間の溶接は、特別な問題なしに十分な溶接強度を得ることができるので、既存の方式通りに溶接すればよい。代わりに、負極リベット１２とリベット・ターミナル２２との結合は、もしそのまま異種金属間の溶接を行えば、結合力が弱くなるために、その間に異種金属の接合体であるクラッドメタル（clad metal）１０を介在させ、クラッドメタル１０の両側で同種金属間の溶接を行う。
【００３４】
図４Ａないし図４Ｃは、図２に図示された二次電池２０で、負極リベット１２及びリベット・ターミナル２２を結合する方法を段階的に示す断面図である。
【００３５】
ここで、クラッドメタル１０は、図４Ａに図示されているように、負極リベット１２と同じ銅材質の部材１０ａ、すなわち内層１０ａと、リベット・ターミナル２２と同じアルミニウム材質の部材、すなわち外層１０ｂを圧接（pressure welding）し、前記負極リベット１２を覆い包むリング状にしたものである。このクラッドメタル１０を、互いに同じ材質同士接するように、負極リベット１２とリベット・ターミナル２２との間に挿入して溶接すれば、同じ材質同士溶接されることになるから、十分な接合強度を得ることができる。
【００３６】
前記端子ユニットは、以下のように溶接されうる。まず、図４Ａのように負極リベット１２とリベット・ターミナル２２との間にクラッドメタル１０を挿入し、レーザ溶接を介して、リベット・ターミナル２２とクラッドメタル１０とを接合させる。もちろん、このときクラッドメタル１０は、前記負極リベット１２及びリベット・ターミナル２２と、互いに同じ材質同士接するように配される。従って、同じ材質であるアルミニウム間での溶接がなされる。
【００３７】
次に、負極リベット１２の先端部を、図４Ｂのようにリベット加工し、クラッドメタル１０に密着させる。このようにリベット加工がなされれば、クラッドメタル１０がリベット加工された負極リベット１２の先端にかかるようになって離脱しない。
【００３８】
この状態で、図４Ｃのように、負極リベット１２とクラッドメタル１０との境界部をレーザ溶接で接合する。このとき、負極リベット１２とクラッドメタル１０との溶接部がいずれも同種金属の銅材質であるから、問題のない接合強度が得られる。例えば、負極リベット１２は、クラッドメタル１０の内層１０ａに溶接される。
【００３９】
また、その後のリベット・ターミナル２１，２２とバスバー３０との結合も、同種金属であるアルミニウム材質同士の溶接であるから、一般的なレーザ溶接で接合すればよい。
【００４０】
従って、以上で説明したような方式によれば、二次電池の端子ユニットを組み立てるとき、同種金属間の溶接で行うことになるので、非常に安定しており、かつ強固な接合構造を設けることができる。
【００４１】
次に、図５は、本発明の他の実施形態による端子ユニットを示したものであり、クラッドメタル１００を、負極リベット１３とリベット・ターミナル２３との間ではなく、リベット・ターミナル２３とバスバー３３との間に挿入した構造を例示している。すなわち、このときには、リベット・ターミナル２３を、負極リベット１３と同じ銅材質とした場合であり、このようにすれば、負極リベット１３とリベット・ターミナル２３との間は、同種金属同士の溶接であるから問題がないが、銅材質のリベット・ターミナル２３とアルミニウム材質のバスバー３３とは、異種金属同士になるので溶接性が落ちる。従って、このリベット・ターミナル２３とバスバー３３との間に、クラッドメタル１００を挿入し、互いに同種金属同士で溶接を行う。このとき、クラッドメタル１００は、前記リベット・ターミナル２３及びバスバー３３と、互いに同じ材質同士接するように、内側にアルミニウム部材、すなわて内層１０１を配し、外側に銅部材１０２、すなわち外層１０２を配することは、言うまでもない。従って、同じ材質同士の溶接になり、結果的に、安定した接合強度を得ることができる。
【００４２】
図６は、本発明のさらに他の実施形態による二次電池モジュール１９５の斜視図である。図７は、図６のＶＩＩ−ＶＩＩ線に沿って切り取った断面図である。前述の実施形態と類似した構成要素に係わる反復的な説明は省略する。
【００４３】
図６及び図７を参照すれば、第１集電板７０とバスバー１３０との結合のために、単一リベット・ターミナル２２が提供される。第２集電板１７０は、電極組立体６０とキャップ組立体４０との間に連結されうる。例えば、前記第２集電板１７０は、電極組立体６０の正極無地部６１ｂに連結されうる。本発明の第２実施形態で、バスバー１３０は、二次電池１２０のキャップ組立体４０に直接連結され、隣接した二次電池２０のリベット・ターミナル２２に連結されうる。例えば、バスバー１３０は、第１部分１３０ａと第２部分１３０ｂとを含む。第１部分１３０ａは、第２部分１３０ｂよりさらに厚く形成される。第１部分１３０ａは、二次電池１２０のキャップ組立体４０に連結され、前記第２部分１３０ｂは、隣接した二次電池１２０のリベット・ターミナル２２に連結されることによって、二次電池１２０が直列または並列に連結されうる。これによって、第１部分１３０ａと第２部分１３０ｂとの高さ差によって、バスバー１３０の上面は、扁平であって一定した面を有することができる。実際の具現例において、二次電池のキャップ組立体４０は、隣接した二次電池１２０のリベット・ターミナル２２と逆極性を有することができる。
【００４４】
一方、本実施形態では、電極リベットのうち負極リベット側で、異種金属間の溶接問題が生じる場合を例示したが、場合によっては、正極リベット側で、異種金属間の溶接問題が生じることもある。従って、いずれの側でも、電極リベットとリベット・ターミナルとの間、またはリベット・ターミナルとバスバーとの間に異種金属間溶接を行う場合、異種金属接合体であるクラッドメタルを挿入すれば、安定的であって強固な接合構造を得ることができる。
【００４５】
正極リベットと負極リベットは、一般的に互いに異なる異種金属からなるので、もしリベット・ターミナルが１つの金属を利用してなるのであるならば、正極リベットまたは負極リベットとリベット・ターミナルとの間に、異種金属間の溶接が行われうる。これによって、溶接性の低下が起き、低い接合強度が後に続くことになる。もし正極リベット並びに負極リベットに対応するように、リベット・ターミナルが互いに異なる異種金属からなるならば、正極リベット並びに負極リベット、リベット・ターミナル間の溶接性が向上しうる。しかし、少なくとも１つのリベット・ターミナルとバスバーとの溶接問題を解消できるものではない、溶接性の低下が後続しうる。前記実施形態は、異種金属間の溶接が端子ユニットで行われるとき、このような溶接性が低下する環境を避けるためのものである。
【００４６】
結果として、本発明の実施形態によれば、電極リベットとリベット・ターミナルとの結合、またはリベット・ターミナルとバスバーとの結合が同種金属間の溶接によって行われるために、強固な接合強度を確保することができる。本発明の実施形態は、溶接性の低下を防止することができる端子ユニットを含む二次電池を提供することが可能である。
【００４７】
本発明は、図面に図示された実施形態を参考にして説明したが、それらは例示的なものに過ぎず、本技術分野の当業者であるならば、それらから多様な変形及び均等な他の実施形態が可能であるという点を理解することが可能であろう。従って、本発明の真の技術的保護範囲は、特許請求の範囲の技術的思想によって決まるものである。
【００４８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４９】
１０，１００    クラッドメタル
１０ａ，１０１    内層
１０ｂ，１０２    外層
１１    正極リベット
１２，１３    負極リベット
２０，１２０    二次電池
２１，２２，２３    リベット・ターミナル    
３０，３３，１３０    バスバー
４０    キャップ組立体
５０    ケース
６０    電極組立体
６１ａ    正極活物質
６１ｂ    正極無地部
６２ａ    負極活物質
６２ｂ    負極無地部
６３    セパレータ
７０，１７０    集電板
８０    シーリング部材
９０    安全ベント
９５，１９５    二次電池モジュール
１３０ａ    バスバーの第１部分
１３０ｂ    バスバーの第２部分
【図１】
2011210725.tif 000003
【図２】
2011210725.tif 000004
【図３】
2011210725.tif 000005
【図４Ａ】
2011210725.tif 000006
【図４Ｂ】
2011210725.tif 000007
【図４Ｃ】
2011210725.tif 000008
【図５】
2011210725.tif 000009
【図６】
2011210725.tif 000010
【図７】
2011210725.tif 000011